(57)【特許請求の範囲】
【請求項１】
主幹配電線から分岐した複数の分岐配電線毎に接続する負荷へ供給される電力量を測定する電力測定装置であって、
前記分岐配電線毎に接続され、電力測定に必要な計測を行う計測部と、
前記計測部からの計測値に基づいて、前記分岐配電線毎の供給電力を測定する電力測定部と、
前記電力測定部への計測値の入力を前記分岐配電線毎に切り替えていく切替部と、を備え、
前記切替部は、一の前記分岐配電線に対する前記計測値の入力の時間幅が当該一の分岐配電線に対する入力へと切り替わる毎に変化するように、前記電力測定部への前記計測値の入力を切り替えていくことを特徴とする電力測定装置。
【請求項２】
前記主幹配電線は、単相交流式からなり、
前記時間幅は、前記主幹配電線の交流周期に基づいて設定されていることを特徴とする請求項１に記載の電力測定装置。
【請求項３】
前記主幹配電線は、２本の電圧線と、１本の中性線からなる単相３線式からなり、
前記電圧線毎に接続され、前記電圧線毎の電力測定に必要な計測を行う主幹計測部を備え、
前記電力測定部は、前記主幹計測部の測定値に基づいて、前記電圧線毎の供給電力も測定することを特徴とする請求項１に記載の電力測定装置。
【請求項４】
前記時間幅は、前記主幹配電線の交流の交流周期に基づいて設定されていることを特徴とする請求項３に記載の電力測定装置。
【請求項５】
前記電力測定部による測定結果を送信するための通信部を備えたことを特徴とする請求項１から４の何れか一項に記載の電力測定装置。
【発明の詳細な説明】
【技術分野】
【０００１】
本発明は、電力測定装置に関するものであり、特に、分電盤内部の分岐配電線毎に供給される電力量を測定する電力測定装置に関するものである。
【背景技術】
【０００２】
分電盤の内部における主幹配電線への供給電力を測定することは、従来から一般的に行われていたことである。そして、近年では省エネルギに対する関心が非常に高まってきており、主幹配電線での供給電力だけでなく、分電盤の内部において複数に分岐した分岐配電線毎に分岐ブレーカから供給される電力を測定することで、エアコンや冷蔵庫或いは寝室等、電気製品や家庭内の各エリアでの使用状況を把握したいという要求が増えてきている。このような要求に応える電力測定装置としては、特許文献１、特許文献２に記載されているものが知られている。
【０００３】
一方、特許文献１、特許文献２に記載されている電力測定装置では、複数の分岐配電線毎に供給される電力の測定を行うので、分岐配電線と同数の測定装置が必要となり、このような課題を解決するものとして、特許文献３に記載されているものが知られている。特許文献３には、分岐配電線の数よりも少ない電気測定部を設けて電力の計測を行うものが記載されており、この電力測定装置は、電気測定部によって測定する分岐配電線を定期的に切り替え、そして他の分岐配電線を測定している期間に関しては、仮想の測定値を求めることで、分岐配電線毎の電力量の測定を行うというものである。
【先行技術文献】
【特許文献】
【０００４】
【特許文献１】特開平２００１−１０３６２１号公報
【特許文献２】特開２００５−２４９６８３号公報
【特許文献３】特開２０１０−３８７３８号公報（段落００７４−０１２４）
【発明の概要】
【発明が解決しようとする課題】
【０００５】
しかしながら、特許文献３に記載されているような、分岐配電線の電力を常時測定するのではなく、一定期間だけ測定するような構成によると、分岐配電線に接続する電気製品等の動作の状況によっては、実際とはあまりにかけ離れた、極端な測定結果となってしまうおそれがあった。
【０００６】
この問題点について、図３を用いて具体的な説明を行う。例えば、電気ポット等のような保温機能を有する電気製品（製品Ａ）の場合、保温状態ではできるだけ消費電力を抑えるために、保温用ヒータの制御において、１秒間に１００ｍｓｅｃだけ保温用ヒータを動作させ、残りの９００ｍｓｅｃは保温用ヒータを動作させない、というような制御方法を採用しているものが存在している。このような製品Ａが接続する分岐配電線を含め、５本の分岐配電線が主幹配電線から分岐しており、各分岐配電線での供給電力について、５チャンネルの切り替えスイッチを用い、各チャンネルの入力時間を２００ｍｓｅｃで切り替えて、分岐配電線毎の電力測定を行うものとする。
【０００７】
この時、製品Ａについては、図３におけるＣＨ１が対応しているとすると、常にＣＨ１の入力期間中に、製品Ａは保温用ヒータが動作しているので、仮想の測定値でも製品Ａの保温用ヒータが動作している状況での測定値となってしまう。
【０００８】
また、製品ＡについてＣＨ１以外（例えばＣＨ２）が対応しているとすると、先ほどとは反対に、常にＣＨ２の計測期間中に、製品Ａは保温用ヒータが動作していないので、仮想の測定値でも製品Ａの保温用ヒータが動作していない状況での測定値となってしまう。これは、ＣＨ３〜ＣＨ５においても、同様である。
【０００９】
つまり、製品Ａの動作周期と、切り替えスイッチの切り替えのタイミングが一致してしまうと、保温状態の製品Ａで、保温用ヒータが動作することにより少しの電力が消費されていたとしても、ＣＨ１によると実際とはかけ離れた大きな測定値となってしまい、ＣＨ２によると全く電力が消費されていない測定値となってしまう。
【００１０】
そこで、本願の発明者は、この問題を解消すべく種々検討を重ねた結果、複数の分岐配電線毎に供給される電力量を測定する際に、電力測定に必要な計測を行う計測部からの入力を所定の入力時間で切り替えていくことで、分岐配電線毎の供給電力量を測定する電力測定装置において、入力時間が常に一定ではなく、変化するように切り替えていく構成とすることで、この問題を解決し得ることに想到し、本発明を完成するに至ったものである。
【００１１】
すわなち、本発明は上記問題を解決することを課題とし、電力測定に必要な計測を行う計測部からの入力を所定の入力時間で切り替えていく構成の電力測定装置において、製品Ａのように分岐配電線に接続する負荷が一定間隔で動作するようなものである場合に、分岐配電線に供給される電力量の測定結果が極端な結果とならない電力測定装置を提供することを目的とするものである。
【課題を解決するための手段】
【００１２】
前記課題を解決するため、本発明の第１の態様によれば、主幹配電線から分岐した複数の分岐配電線毎に接続する負荷へ供給される電力量を測定する電力測定装置であって、前記分岐配電線毎に接続され、電力測定に必要な計測を行う計測部と、前記計測部からの計測値に基づいて、前記分岐配電線毎の供給電力を測定する電力測定部と、前記電力測定部への計測値の入力を前記分岐配電線毎に切り替えていく切替部と、を備え、前記切替部は、一の前記分岐配電線に対する前記計測値の入力の時間幅が当該一の分岐配電線に対する入力へと切り替わる毎に変化するように、前記電力測定部への前記計測値の入力を切り替えていくことを特徴とする。
【００１３】
また、本発明の第２の態様によれば、第１の態様にかかる電力測定装置であって、前記主幹配電線は、単相交流式からなり、前記時間幅は、前記主幹配電線の交流周期に基づいて設定されていることを特徴とする。
【００１４】
また、本発明の第３の態様によれば、第１の態様にかかる電力測定装置であって、前記主幹配電線は、２本の電圧線と、１本の中性線からなる単相３線式からなり、前記電圧線毎に接続され、前記電圧線毎の電力測定に必要な計測を行う主幹計測部を備え、前記電力測定部は、前記主幹計測部の測定値に基づいて、前記電圧線毎の供給電力も測定することを特徴とする。
【００１５】
また、本発明の第４の態様によれば、第３の態様にかかる電力測定装置であって、前記時間幅は、前記主幹配電線の交流の交流周期に基づいて設定されていることを特徴とする。
【００１６】
また、本発明の第５の態様によれば、第１から４の何れかの態様にかかる電力測定装置であって、前記電力測定部による測定結果を送信するための通信部を備えたことを特徴とする。
【発明の効果】
【００１７】
本発明の第１の態様によれば、複数の分岐配電線毎に供給される電力量を測定する際に、電力測定に必要な計測を行う計測部からの入力を所定の入力時間で切り替えていくことで、分岐配電線毎の供給電力量を測定する電力測定装置において、入力時間が常に一定ではなく、変化するように切り替えていく構成としている。したがって、分岐配電線に接続する負荷が一定間隔で動作するようなものである場合に、極端な測定結果が生じてしまうような問題を防ぐことができる。
【００１８】
本発明の第２の態様によれば、切替部における入力時間を、主幹配電線の交流周期に基づいて設定しているので、交流電源のゼロクロス点での入力を行うことができ、ノイズ等の影響を抑えることができる。
【００１９】
本発明の第３の態様によれば、電力測定部において、分岐配電線毎の電力測定だけでなく、主幹配電線の電力測定も行うので、例えば分電盤内において測定のためのスペースを削減でき、また電力測定装置の製造コストを低減することが可能となる。
【００２０】
本発明の第４の態様によれば、第２の態様と同様に、切替部における入力時間を、主幹配電線の交流周期に基づいて設定しているので、交流電源のゼロクロス点での入力を行うことができ、ノイズ等の影響を抑えることができる。
【００２１】
本発明の第５の態様によれば、電力測定の結果を通信部を介して、表示装置で表示することが可能となるので、電力測定の結果を視覚的に確認することが可能となる。
【図面の簡単な説明】
【００２２】
【図１】本発明の実施例に係る電力測定装置を含む全体の概要図である。
【図２】本発明の実施例に係る電力測定装置を構成する電流センサ切替部における切り替えのタイミングを示す説明図である。
【図３】従来の切り替えスイッチにおける切り替えのタイミングを示す説明図である。
【発明を実施するための形態】
【００２３】
以下、本発明の具体例を実施例及び図面を用いて詳細に説明する。但し、以下に示す実施形態は、本発明の技術的思想を具体化するための電力測定装置を例示するものであって、本発明をこの電力測定装置に特定することを意図するものではなく、特許請求の範囲に含まれるその他の実施形態の電力測定装置にも等しく適応し得るものである。
【００２４】
図１は、本実施例における電力測定装置を配置した分電盤１０を含めた全体の構成図である。
【００２５】
電力会社から商用電源の供給をうけるため、住宅内の分電盤１０に引き込まれた単相３線式の主幹配電線Ｍは、主幹漏電ブレーカＭＢの１次側に接続されるとともに、主幹漏電ブレーカＭＢの２次側にまで伸びている。そして、分岐配電線Ｓ１〜Ｓ２が主幹配電線Ｍから６つに分岐して伸びている。
【００２６】
この単相３線式の主幹配電線Ｍは、２本の電圧線Ｌ１、Ｌ２と、１本の中性線Ｎからなる。そして、主幹漏電ブレーカＭＢと中継端子台（図示せず）との間において、６つの分岐した分岐配電線Ｓ１〜Ｓ６が主幹配電線Ｍと接続している。この分岐配電線Ｓ１〜Ｓ６には、分岐ブレーカＳＢ１〜ＳＢ６がそれぞれ接続している。
【００２７】
分岐ブレーカＳＢ１は、入力側が電圧線Ｌ１、Ｌ２に接続する、２００Ｖ用のブレーカであり、分岐ブレーカＳＢ２、ＳＢ３も同様に、入力側が電圧線Ｌ１、Ｌ２に接続する、２００Ｖ用のブレーカである。分岐ブレーカＳＢ４は、入力側が電圧線Ｌ１と中性線Ｎと
に接続する、１００Ｖ用のブレーカであり、分岐ブレーカＳＢ５、ＳＢ６も同様に、入力側が電圧線Ｌ１と中性線Ｎとに接続する、１００Ｖ用のブレーカである。
【００２８】
そして、分岐ブレーカＳＢ１の出力側には、２００Ｖ負荷の電気製品７０ａが接続している。また、分岐ブレーカＳＢ２の出力側には、２００Ｖ負荷の電気製品７０ｂが接続し、分岐ブレーカＳＢ３の出力側には、２００Ｖ負荷の電気製品７０ｃが接続している。そして、分岐ブレーカＳＢ４の出力側には、１００Ｖ負荷の電気製品７０ｄが接続し、分岐ブレーカＳＢ５の出力側には、１００Ｖ負荷の電気製品７０ｅが接続し、分岐ブレーカＳＢ６の出力側には、１００Ｖ負荷の電気製品７０ｆが接続している。なお、分岐ブレーカＳＢ１〜ＳＢ６と接続する各負荷は、個々の電気製品に限られるものではなく、寝室等のような一定のエリアを単位とする場合でも構わない。
【００２９】
なお、主幹漏電ブレーカＭＢの１次側には、リミッタＬＭが取り付けられている。このリミッタＬＭは、各住宅と電力会社との間での負荷電流が契約値以下になるように制限するためのブレーカである。
【００３０】
このような分電盤１０の内部において、本実施例における電力測定装置は、電力測定部２０と、主幹電流センサＭＳ１、ＭＳ２と、電圧測定部３０Ａ、３０Ｂと、電圧値切替部３１と、分岐電流センサＳＳ１〜ＳＳ５と、電流センサ切替部４１と、制御部５０と、通信部６０と、で構成している。
【００３１】
電力測定部２０は、電力測定用ＩＣからなり、計測された電圧値と計測された電流値との積に基づいて電力を演算し測定するものである。そして、この電力測定部２０は、３つ電力測定が行えるよう、チャンネルＡ、Ｂ、Ｃの３チャンネルからなる電力測定用の回路を備えている。
【００３２】
そして、３つのチャンネルの内、チャンネルＡとチャンネルＢは、主幹配電線Ｍの電力測定に用いられている。
【００３３】
電力測定部２０は、チャンネルＡにおいて、単相３線式の主幹配電線Ｍの一方側の供給電力を測定するため、入力ＩＡから電圧線Ｌ１に供給される電流値を取得する。そして、この電圧線Ｌ１に供給される電流値は、主幹計測部となる主幹電流センサＭＳ１を用いて計測する。
【００３４】
また、電力測定部２０は、チャンネルＢにおいて、単相３線式の主幹配電線Ｍの他方側の供給電力を測定するため、入力ＩＢから、電圧線Ｌ２に供給される電流値を取得する。この電圧線Ｌ２に供給される電流値は、主幹計測部となる主幹電流センサＭＳ２を用いて計測する。
【００３５】
そして、電力測定部２０は、チャンネルＡにおいて、単相３線式の主幹配電線Ｍの一方側の供給電力を測定するため、入力ＶＡから電圧線Ｌ１と中性線Ｍとの間の電圧値を取得する。この電圧線Ｌ１と中性線Ｍとの間の電圧値は、主幹計測部である電圧計測部３０Ａを用いて計測し、電圧計測部３０Ａから入力ＶＡへ出力される。
【００３６】
また、電力測定部２０は、チャンネルＢにおいて、単相３線式の主幹配電線Ｍの他方側の供給電力を測定するため、入力ＶＢから電圧線Ｌ２と中性線Ｍとの間の電圧値を取得する。この電圧線Ｌ２と中性線Ｍとの間の電圧値は、主幹計測部である電圧計測部３０Ｂを用いて計測し、電圧計測部３０Ｂから入力ＶＢへ出力される。
【００３７】
なお、電圧計測部３０Ａ、３０Ｂは、トランスを用い電圧線Ｌ１、Ｌ２からの電圧を適
切に降圧して、電力測定部２０へ出力するようにしてもよい。
【００３８】
このように、電力測定部２０では、チャンネルＡを用いて、入力ＩＡと入力ＶＡの積に基づいて、電圧線Ｌ１と中性線Ｍから供給される単相３線式の一方側の供給電力量を演算し、チャンネルＢを用いて、入力ＩＢと入力ＶＡの積に基づいて、電圧線Ｌ２と中性線Ｍから供給される単相３線式の他方側の供給電力量を演算する。この演算された結果は、電力測定部２０から制御部５０へ送られ、制御部５０から通信部６０を介して、表示デバイスからなる表示装置へ送信され、ユーザはその測定結果を確認することができる。
【００３９】
なお、電力測定部２０では、２つのチャンネルを用いて主幹配電線Ｍにおける供給電力量を途切れなく連続して常時測定を行っているので、主幹配電線Ｍでの正確な使用状況を知ることができる。特に、最近では各家庭で太陽電池を取り付ける家庭が増えてきている。太陽電池で発電された補助電源は、図示していないが、補助電源供給回路と補助電源用ブレーカを介して、主幹配電線Ｍへ単相３線式で供給されることになる。そして、電力会社との間で電力の売買が行われることになるので、本実施例のような構成により主幹配電線Ｍでの正確な使用状況がわかることはユーザにとって非常に好ましい。
【００４０】
一方、電力測定部２０では、電力測定を行うチャンネルは３つしかなく、その内２つのチャンネルを用いて、主幹配電線Ｍの電力測定を行っている。したがって、分岐配電線Ｓ１〜Ｓ６における電力測定においては、１つのチャンネルを用いた測定しか行うことができない。
【００４１】
そこで、本実施例においては、分岐配電線Ｓにおけるそれぞれの電流値を常に取得するのではなく、分岐配電線Ｓ毎に所定の時間を割り当てて、その間に取得した計測値に基づいては、分岐配電線Ｓ毎の供給電力を測定する構成としている。なお、電力測定部２０は、必ずしも全ての分岐配電線の供給電力を測定する必要はなく、必要に応じて測定を行えばよい。そして、本実施例において、電力測定部２０は、６つの分岐配電線Ｓ１〜Ｓ６の内、５つの分岐配電線Ｓ１〜Ｓ５についての供給電力を測定するものとする。
【００４２】
まず、分岐配電線Ｓ１〜Ｓ５の供給電力を測定するため、入力ＩＣから分岐配電線Ｓ１〜Ｓ５に供給される電流値を取得する。電力測定に必要となるこの電流値は、分岐配電線Ｓ１〜Ｓ５にそれぞれ取り付けられた計測部である分岐電流センサＳＳ１〜ＳＳ５を用いて計測する。
【００４３】
その際、電力測定部２０の入力ＩＣと分岐電流センサＳＳ１〜ＳＳ５との間には、電流センサ切替部４１が設けられている。この電流センサ切替部４１は、５つの入力回路を備える５チャンネルのアナログスイッチからなり、制御部５０からの切替信号により、それぞれ５つのチャンネルが切り替わる。そして、電流センサ切替部４１の一つのチャンネルを介して、このチャンネルと対応する分岐電流センサＳＳが、入力ＩＣと接続することになる。したがって、分岐電流センサＳＳと入力ＩＣとが接続している間（入力時間）に、計測された電流値が、電力測定部２０の入力ＩＣへ入力される。
【００４４】
また、分岐配電線Ｓ１〜Ｓ５の供給電力を測定するため、入力ＶＣから分岐配電線Ｓ１〜Ｓ５における電圧値を取得する。この電圧値は、電圧計測部３０Ａ、３０Ｂからの出力側と、電圧測定部２０の入力ＶＣとの間に電圧値切替部３１を設けておき、制御部５０からの切替信号により、対応する分岐配電線Ｓ１〜Ｓ５にあわせて、１００Ｖの出力と２００Ｖの出力とを電圧切替部３１で切り替えて、電力測定部２０の入力ＶＣへ入力することにより取得される。なお、この電圧切替部３１は、２チェンネルのアナログスイッチからなり、制御部５０からの切替信号により、電圧計測部３０Ａと３０Ｂからの入力を基に、内部のスイッチを切り替えることで、分岐配電線Ｓ１〜Ｓ５の負荷に対応した電圧を出力
する。また、本実施例では、分岐配電線Ｓ１〜Ｓ５の電圧値は、電圧計測部３０Ａ、３０Ｂを利用しているが、電流値の計測と同じように、分岐配電線Ｓ１〜Ｓ５毎に電圧値を計測し、電圧測定部２０へ入力する構成であってもよい。
【００４５】
このように、電力測定部２０では、一つのチャンネルＣを用いて、入力ＩＣと入力ＶＣの積に基づいて、所定時間内における各分岐配電線Ｓ１〜Ｓ５における供給電力量が演算される。そして、この演算された結果は、電力測定部２０から制御部５０へ送られ、制御部５０から通信部６０を介して、表示デバイスからなる表示装置へ送信され、ユーザはその測定結果を確認することができる。
【００４６】
次に、図２を用いて本実施例における、電流センサ切替部４１における切り替えのタイミングについて具体的な説明を行う。
【００４７】
図２の製品Ａは、先に特許文献３に関する課題でも述べたように、電気ポット等のような保温機能を有する電気製品であり、保温状態において、１秒間に１００ｍｓｅｃ（ａ）だけ保温用ヒータを動作させ、残りの９００ｍｓｅｃ（ｂ）は保温用ヒータを動作させないよう制御されている電気製品である。
【００４８】
そして、製品Ａが接続する分岐配電線Ｓ１の電流値は、分岐電流センサＳＳ１を用いて計測され、電流センサ切替部４１のＣＨ１を介して、電力測定部２０の入力ＩＣへ入力される。
【００４９】
この時、電流センサ切替部４１においては、制御部５０からの切替信号により、各ＣＨにおける所定の入力時間が常に一定ではなく変化するように切り替えている。
【００５０】
具体的には、第１の周期Ｔ１においては、ＣＨ１は２２０ｍｓｅｃ、ＣＨ２は１８０ｍｓｅｃ、ＣＨ３は２００ｍｓｅｃ、ＣＨ４は２００ｍｓｅｃ、ＣＨ５は２２０ｍｓｅｃとなっており、ＣＨ１からＣＨ５までの周期Ｔ１は、１０２０ｍｓｅｃとなっている。
【００５１】
また、第２の周期Ｔ２においては、ＣＨ１は２００ｍｓｅｃ、ＣＨ２は２２０ｍｓｅｃ、ＣＨ３は１８０ｍｓｅｃ、ＣＨ４は２２０ｍｓｅｃ、ＣＨ５は１８０ｍｓｅｃとなっており、ＣＨ１からＣＨ５までの周期Ｔ２は、ちょうど１０００ｍｓｅｃとなっている。
【００５２】
また、第３の周期Ｔ３においては、ＣＨ１は１８０ｍｓｅｃ、ＣＨ２は２２０ｍｓｅｃ、ＣＨ３は２２０ｍｓｅｃ、ＣＨ４は１８０ｍｓｅｃ、ＣＨ５は１８０ｍｓｅｃとなっており（ＣＨ３以降は図示せず）、ＣＨ１からＣＨ５までの周期Ｔ３は、９８０ｍｓｅｃとなっている。
【００５３】
このように、電流センサ切替部４１は、周期Ｔ１、Ｔ２、Ｔ３において、ＣＨ１での入力時間を一定時間に常に固定するのではなく、入力時間を変化させるように切り替えている。したがって、製品Ａのように一定間隔で動作しているような場合、ＣＨ１を用いると電力計測部２０では、周期Ｔ１の時に電力測定が行え、周期Ｔ２、Ｔ３の時には電力測定が行えないことになる。つまり、電力測定が行える状況と、電力測定が行えない状況をつくることができる。したがって、先に特許文献３に関する課題でも述べたような、周期Ｔ１、Ｔ２、Ｔ３で、常に測定値が得られてしまうような状況や、全く測定値が得られない状況のように、極端な結果が生じてしまうことを防ぐことができる。
【００５４】
なお、本実施例では、周期Ｔ１、Ｔ２、Ｔ３における、各ＣＨの入力時間を変化させているだけでなく、周期Ｔ１（１０２０ｍｓｅｃ）、Ｔ２（１０００ｍｓｅｃ）、Ｔ３（９８０ｍｓｅｃ）そのものも変化しているが、例えば、この周期は一定（例えば、ＣＨ１〜
ＣＨ５の入力時間の合計が常に１０００ｍｓｅｃ）にしておき、その中で各ＣＨの入力時間を変化させるように切り替えても良い。
【００５５】
また、当然ながら、図２で示した周期Ｔ１、Ｔ２、Ｔ３で終わるのではなく、電力の計測が続く限り、この周期は続いていくものである。その際、周期Ｔ１、Ｔ２、Ｔ３・・・、において、各ＣＨにおける入力時間を全て変えるように構成してもよいが、本実施例においては、１８０ｍｓｅｃ、２００ｍｓｅｃ、２２０ｍｓｅｃという３つの基本入力時間を用いて変化させている。
【００５６】
本実施例で用いている３つの基本入力時間は、具体的には、商用電源として供給される交流の周波数が５０Ｈｚである場合に、この電源の周期は２０ｍｓｅｃとなるので、この２０ｍｓｅｃを基に、２０ｍｓｅｃの９サイクルとして１８０ｍｓｅｃ、１０サイクルとして２００ｍｓｅｃ、１１サイクルとして２２０ｍｓｅｃとして決定した。つまり、入力時間の変化は、電源の周期を基に、このサイクルを変化させることにより行っている。そして、このように電源の周期を基に入力時間を決定しておけば、交流電源のゼロクロス点を、入力時間の開始点と終了点とすることが可能となり、ノイズの影響等を低減することができる。また、基本入力時間として１６０ｍｓｅｃや２４０ｍｓｅｃ等を追加しても構わない。
【００５７】
電力測定部２０で測定された測定結果は、電力測定部２０から制御部５０へ送られ、制御部５０から通信部６０を介して、表示デバイスからなる表示装置へ送信され、ユーザはその測定結果を必要な時に確認することができる。
【００５８】
この時、電力測定部２０から制御部５０へ送られた測定結果は、各ＣＨにおける入力時間における供給電力なので、各分岐配電線Ｓ１〜Ｓ５における例えば１時間あたりの電力量（Ｗｈ）について求める場合、各ＣＨにおいて入力のない時間について、特許文献３のように前後の実際の値から仮想の測定値を算出し、実際の測定値と仮想の測定値を基に、１時間あたりの電力量を求めてもよい。また、各ＣＨにおける基本入力時間毎の入力時間と供給電力とを積算して記憶しておくことで、各分岐配電線における１時間あたりの電力量を求めてもよい。また、基本入力時間とその時の周期から例えば１秒あたりの電力を求め、その値を積算して記憶しておくことで、各分岐配電線における１時間あたりの電力量を求めてもよい。
【００５９】
なお、本実施例では、主幹配電線Ｍが単相３線式のものについて説明を行ったが、単相２線式のものも含め、単相交流式のものでも適用可能である。また、電流センサ切替部４１は、より多くのチャンネルを備えるものでも構わない。
【符号の説明】
【００６０】
Ｍ・・・主幹配電線
Ｓ１，Ｓ２，Ｓ３，Ｓ４，Ｓ５，Ｓ６・・・分岐配電線
ＭＢ・・・主幹漏電ブレーカ
ＳＢ１，ＳＢ２，ＳＢ３，ＳＢ４，ＳＢ５，ＳＢ６・・・分岐ブレーカ
ＭＳ１，ＭＳ２・・・主幹電流センサ
ＳＳ１，ＳＳ２，ＳＳ３，ＳＳ４，ＳＳ５・・・分岐電流センサ
１０・・・分電盤
２０・・・電力測定部
３０Ａ，３０Ｂ・・・電圧計測部
４１・・・電流センサ切替部
５０・・・制御部
【図１】
0005920699.tif 000002
【図２】
0005920699.tif 000003
【図３】
0005920699.tif 000004